(57)【特許請求の範囲】
【請求項１】
浴槽内の湯を風呂循環回路を介して循環させて追焚きを行う風呂追焚き手段と、前記風呂循環回路と接続された湯張り回路を介して浴槽に湯水を供給する給湯手段と、前記浴槽の水位を前記風呂循環回路内の静水圧により検出する水位センサと、
前記風呂循環回路に湯水が満たされ、且つ、前記風呂循環回路が接続された浴槽の往路循環口と復路循環口とが浴層から遮蔽された状態で前記給湯手段により湯水の供給を開始し、前記水位センサで検出される水圧が基準値を超えたときに湯水の供給を停止して、該停止後の前記水位センサによる検出水圧の低下度合を検出し、該低下度合が所定値以上であるときに、前記風呂循環回路から水漏れが生じていると判断する水密検査を行う水密検査手段とを備えた風呂用給湯装置において、
前記水密検査手段は、前記水位センサで検出される水圧が前記基準値を超えるまで前記湯水の供給を間欠的に行い、該間欠的な湯水の供給の供給停止期間中に前記水位センサの検出水圧の上昇度合を検出し、該上昇度合が第１基準度合より小さい場合は、該間欠的な湯水の供給における供給実施期間を延長することを特徴とする風呂用給湯装置。
【請求項２】
浴槽内の湯を風呂循環回路を介して循環させて追焚きを行う風呂追焚き手段と、前記風呂循環回路と接続された湯張り回路を介して浴槽に湯水の供給を行う給湯手段と、暖房循環回路と室内暖房機とを介して昇温した湯を循環させる温水暖房手段と、前記風呂循環回路と前記暖房循環回路とを連通する連絡管と、前記浴槽の水位を前記風呂循環回路内の静水圧により検出する水位センサと、  前記風呂循環回路及び前記暖房循環回路に湯水が満たされ、且つ、前記風呂循環回路が接続された浴槽の往路循環口と復路循環口とが浴槽から遮蔽された状態で前記給湯手段により湯水の供給を開始し、前記水位センサで検出される水圧が基準値を超えたときに湯水の供給を停止して、該停止後の前記水位センサによる検出水圧の低下度合を検出し、該低下度合が所定値以上であるときに、前記風呂循環回路又は前記暖房循環回路から水漏れが生じていると判断する水密検査を行う水密検査手段とを備えた風呂用給湯装置において、
前記水密検査手段は、前記水位センサで検出される水圧が前記基準値を超えるまで前記湯水の供給を間欠的に行い、該間欠的な湯水の供給の供給停止期間中に前記水位センサの検出水圧の上昇度合を検出し、該上昇度合が第１基準度合より小さい場合は、該間欠的な湯水の供給における供給実施期間を延長することを特徴とする風呂用給湯装置。
【請求項３】
前記給湯手段からの湯水の供給流量を調節する流量制御手段を設け、前記水密検査手段は、該流量制御手段により供給流量を所定量に制限して前記給湯手段による湯水の供給を行うことを特徴とする請求項１又は２記載の風呂用給湯装置。
【請求項４】
前記水密検査手段による前記間欠的な湯水の供給が開始される際の、前記水位センサによる検出水圧を記憶する記憶手段を備え、
前記水密検査手段は、前記記憶手段に記憶された検出水圧と、水密状態判定時の前記水位センサによる検出水圧との差により、前記上昇度合を検出することを特徴とする請求項１から３のうちいずれか１項記載の風呂用給湯装置。
【請求項５】
前記水密検査手段は、前記間欠的な湯水の供給における供給実施期間を延長した後、再度前記間欠的な湯水の供給における供給停止期間中に前記水位センサによる検出水圧の上昇度合を検出し、該上昇度合が第２基準度合よりも小さいときは、前記間欠的な湯水の供給における供給実施期間を更に延長することを特徴とする請求項１から４のうちいずれか１項記載の風呂用給湯装置。
【請求項６】
前記水密検査手段は、前記間欠的な湯水の供給において、前記給湯手段による湯水の供給を停止してから所定時間経過後に、前記水位センサによる検出水圧の上昇度合を検出することを特徴とする請求項１から５のうちいずれか１項記載の風呂用給湯装置。
【発明の詳細な説明】
【０００１】
【発明の属する技術の分野】
本発明は、浴槽の湯を昇温させるための風呂循環回路や室内暖房機に湯を供給するための暖房循環回路の水密検査機能を備えた風呂用給湯装置に関する。
【０００２】
【従来の技術】
従来、水道から供給される水を昇温させて浴槽に給湯する風呂用給湯装置において、浴槽内の湯を風呂循環回路と風呂熱交換器とを介して循環させて昇温させる追焚き機能や、室内暖房機に暖房循環回路と暖房熱交換器とを介して昇温した湯を循環させる温水暖房機能を備えた風呂用給湯装置が知られている。
【０００３】
かかる風呂用給湯装置を新たに設置する場合、該風呂用給湯装置の設置後に給湯装置本体と浴槽とを接続する配管（前記風呂用循環回路の一部を構成する）、及び器具本体と室内暖房機とを接続する配管（前記暖房用循環回路の一部を構成する）から水漏れが生じていないこと、即ち、これらの配管の水密状態が保たれていることを確認する検査（以下、水密検査という）を行う必要がある。
【０００４】
このような水密検査の方法として、浴槽内の湯水の水位を検出するために風呂循環回路に設けられた水位センサを利用したものが提案されている。水位センサは、風呂循環回路内の静水圧から浴槽内の水位を検出するものであるため、風呂循環回路に加わっている水圧を検出することができる。
【０００５】
水位センサを用いた水密検査は、前記風呂循環回路と接続された浴槽の循環口（往路循環口と復路循環口）を超えるまで浴槽に湯水が張られて該風呂循環回路内に湯水が満たされ、且つ、該循環口が浴槽から遮蔽された状態で行われる。
【０００６】
この状態で、浴槽への湯水の供給を行うと、浴槽の循環口が遮蔽されているために、風呂循環回路内の水圧が高まる。そして、水位センサによる検出水圧が所定レベル以上に達したときに、湯水の供給を停止し、停止後の水位センサによる検出水位の低下度合を検出して、該低下度合が所定の基準度合以下であるときは水漏れが生じていると判断することで、風呂循環回路や暖房循環回路の水密性を検査することができる。
【０００７】
しかし、このように水位センサを用いた水密検査を行うときに、循環口を浴槽から遮蔽した状態で風呂循環回路に給湯すると、水道からの給水流量によっては、わずかな時間で風呂循環回路内の圧力が大きく上昇して、風呂循環回路を劣化させるおそれがあるという不都合があった。
【０００８】
また、風呂循環回路内の過剰な圧力上昇は、循環口の遮蔽部や風呂循環回路に過圧防止弁を設けることで防止できるが、水道からの給水圧力により過圧防止弁が直ちに開弁してしまう状態では、適当な水圧を風呂循環回路にかけることができないため、上記水密検査をすることができないという不都合があった。
【０００９】
かかる不都合を解消する方法として、風呂循環回路への湯水の供給を間欠的に行って、風呂循環回路内の圧力を徐々に上昇させることが考えられる。しかし、本願発明者らは、各種試験等を行った結果、このように浴槽に湯水を間欠的に供給する際に、例えば水道からの給水圧力が小さいときのように、浴槽への湯水の供給流量が少ないときには、風呂循環回路内の圧力上昇に時間がかかり、水密検査に要する時間が長くなってしまうという不都合があることを知見した。
【００１０】
【発明が解決しようとする課題】
本発明は、上記不都合を解消し、湯水の供給流量が少ない場合における風呂循環回路の水密検査に要する時間を短縮することができる風呂用給湯装置を提供することを目的とする。
【００１１】
【課題を解決するための手段】
上記目的を達成するため、本発明の第１の実施の態様は、浴槽内の湯を風呂循環回路を介して循環させて追焚きを行う風呂追焚き手段と、前記風呂循環回路と接続された湯張り回路を介して浴槽に湯水を供給する給湯手段と、前記浴槽の水位を前記風呂循環回路内の静水圧により検出する水位センサと、前記風呂循環回路に湯水が満たされ、且つ、前記風呂循環回路が接続された浴槽の往路循環口と復路循環口とが浴層から遮蔽された状態で前記給湯手段により湯水の供給を開始し、前記水位センサで検出される水圧が基準値を超えたときに湯水の供給を停止して、該停止後の前記水位センサによる検出水圧の低下度合を検出し、該低下度合が所定値以上であるときに、前記風呂循環回路から水漏れが生じていると判断する水密検査を行う水密検査手段とを備えた風呂用給湯装置の改良に関する。
【００１２】
そして、本発明の第１の実施の態様における前記水密検査手段は、前記水位センサで検出される水圧が前記基準値を超えるまで前記湯水の供給を間欠的に行い、該間欠的な湯水の供給の供給停止期間中に前記水位センサの検出水圧の上昇度合を検出し、該上昇度合が第１基準度合より小さい場合は、該間欠的な湯水の供給における供給実施期間を延長することを特徴とする。
【００１３】
かかる本発明によれば、前記水密検査手段は、前記前記給湯手段による間欠的な湯水の供給を行う際に、前記水位センサによる検出水圧の上昇度合が前記第１基準度合より小さいときは、該間欠的な湯水の供給における供給実施期間を延長する。即ち、前記給湯手段からの湯水の供給流量が少なく、湯水の供給による前記風呂循環回路内の水圧の上昇が遅いときは、前記供給実施期間が延長される。
【００１４】
そのため、前記給湯手段からの湯水の供給流量が少ない場合に、前記水位センサによる検出水位が前記基準値を超えるまでに要する時間を短縮して、前記水密検査に要する時間を短縮することができる。
【００１５】
また、本発明の第２の実施の態様は、浴槽内の湯を風呂循環回路を介して循環させて追焚きを行う風呂追焚き手段と、前記風呂循環回路と接続された湯張り回路を介して浴槽に湯水の供給を行う給湯手段と、暖房循環回路と室内暖房機とを介して昇温した湯を循環させる温水暖房手段と、前記風呂循環回路と前記暖房循環回路とを連通する連絡管と、前記浴槽の水位を前記風呂循環回路内の静水圧により検出する水位センサと、前記風呂循環回路及び前記暖房循環回路に湯水が満たされ、且つ、前記風呂循環回路が接続された浴槽の往路循環口と復路循環口とが浴槽から遮蔽された状態で前記給湯手段により湯水の供給を開始し、前記水位センサで検出される水圧が基準値を超えたときに湯水の供給を停止して、該停止後の前記水位センサによる検出水圧の低下度合を検出し、該低下度合が所定値以上であるときに、前記風呂循環回路又は前記暖房循環回路から水漏れが生じていると判断する水密検査を行う水密検査手段とを風呂用給湯装置の改良に関する。
【００１６】
そして、本発明の第２の実施の態様における前記水密検査手段は、前記水位センサで検出される水圧が前記基準値を超えるまで前記湯水の供給を間欠的に行い、該間欠的な湯水の供給の供給停止期間中に前記水位センサの検出水圧の上昇度合を検出し、該上昇度合が所定度合より小さい場合は、該間欠的な湯水の供給における供給実施期間を延長することを特徴とする。
【００１７】
かかる本発明によれば、前記第１の実施の態様と同様に、前記給湯手段による湯水の供給流量が少ない場合に、前記水密検査に要する時間を短縮することができる。
【００１８】
また、前記給湯手段からの湯水の供給流量を調節する流量制御手段を設け、前記水密検査手段は、該流量制御手段により供給流量を所定量に制限して前記給湯手段による湯水の供給を行うことを特徴とする。
【００１９】
かかる本発明によれば、前記水密検査において、前記給湯手段による湯水の供給流量が多く、湯水の供給を間欠的に行っても前記風呂循環回路及び前記暖房循環回路内の水圧が急激に上昇してしまう場合に、前記流量制御手段により前記給湯手段からの湯水の供給流量を制限することで、水圧を適切に上昇させることができる。
【００２０】
また、前記水密検査手段は、前記水密検査手段による前記間欠的な湯水の供給が開始される際の、前記水位センサによる検出水圧を記憶する記憶手段を備え、前記水密検査手段は、前記記憶手段に記憶された検出水圧と、水密状態判定時の前記水位センサによる検出水圧との差により、前記上昇度合を検出することを特徴とする。
【００２１】
かかる本発明によれば前記記憶手段に記憶された検出水圧を初期水圧とし、該初期水圧からの水圧上昇幅を前記上昇度合として算出することができる。
【００２２】
また、前記水密検査手段は、前記間欠的な湯水の供給における供給実施期間を延長した後、再度前記間欠的な湯水の供給における供給停止期間中に前記水位センサによる検出水圧の上昇度合を検出し、該上昇度合が第２基準度合よりも小さいときは、前記間欠的な湯水の供給における供給実施期間を更に延長することを特徴とする。
【００２３】
かかる本発明によれば、前記水密検査手段は、前記水密検査における前記間欠的な湯水の供給の供給実施期間を延長した後、再度前記水位センサによる検出圧力の上昇度合を検出し、検出された上昇度合が前記第２基準度合よりも小さいときは、該給湯実施期間が更に延長される。そのため、前記水密検査に要する時間を更に短縮することができる。
【００２４】
また、前記水密検査手段は、前記間欠的な湯水の供給において、前記給湯手段による湯水の供給を停止してから所定時間経過後に、前記水位センサによる検出水圧の上昇度合を検出することを特徴とする。
【００２５】
かかる本発明によれば、前記水密検査手段は、前記給湯手段による湯水の供給停止後、所定時間が経過してから、前記水位センサによる検出水圧の上昇度合を検出する。そのため、前記風呂循環回路及び前記暖房循環回路内の水圧が安定した状態で前記上昇度合の検出が行われ、該上昇度合の検出精度を向上することができる。
【００２６】
【発明の実施の形態】
本発明の実施の形態の一例を図１〜図５を参照して説明する。図１は本発明の風呂用給湯装置の全体構成図、図２〜図５は図１に示した風呂用給湯装置における水密検査の処理フローチャートである。
【００２７】
図１を参照して、本実施の形態における風呂用給湯装置の給湯装置本体１は、風呂接続管２，３により浴槽４と接続され、温風暖房機接続管５，６により温風暖房機７（本発明の室内暖房機に相当）と接続され、第１床暖房機接続管８，９により第１床暖房機１０（本発明の室内暖房機に相当）と接続され、第２床暖房機接続管１１，１２により第２床暖房機１３（本発明の室内暖房機に相当）と接続される。
【００２８】
給湯装置本体１は、コントローラ１４により全体が制御され、給湯手段１５と風呂追焚き手段１６と温水暖房手段１７とを備える。また、給湯装置本体１と接続されたリモコン１８により、使用者が給湯装置本体１に対する運転動作の指示を与える。
【００２９】
コントローラ１４は、水密検査手段１９と記憶手段２０とを含んで、ＣＰＵ、ＲＯＭ、ＲＡＭ等により構成され、リモコン１８によって指示される各種運転動作の内容に応じて、給湯手段１５、風呂追焚き手段１６、及び温水暖房手段１７の制御を行う。
【００３０】
給湯手段１５は、コントローラ１４からの制御信号により作動する給湯バーナ２１によって加熱される給湯熱交換器２２、図示しない水道管と接続されて給湯熱交換器２２に給水する給水管２３、コントローラ１４からの制御信号により給水管２３の開度を調節する水量サーボ２４（本発明の流量制御手段に相当）、給水管２３からの給水流量を検出してコントローラ１４に出力する給水流量センサ２５、給湯熱交換器２２で加熱された湯が出湯される出湯管２６、給水管２３に給水される水の一部を出湯管２６に混入させるバイパス管２７、コントローラ１４からの制御信号によりバイパス管２７の開度を調節するバイパスサーボ２８、出湯管２６とバイパス管２７との合流点の下流の給湯管２９中の湯の温度を検出してコントローラ１４に出力する給湯温度センサ３０、給湯管２９から分岐して後述する風呂循環回路７２を介して浴槽４と接続された湯張り管３１、コントローラ１４からの制御信号により湯張り管３１を開閉する湯張り電磁弁３２、湯張り管３１から浴槽への給湯流量を検出してコントローラ１４に出力する湯張り流量センサ３３、及び浴槽４内の水位を静水圧により検出する水位センサ３４を備える。
【００３１】
使用者がリモコン１８を操作して、浴槽４への湯張り指示を行うと、コントローラ１４は湯張り電磁弁３２を開弁する。この湯張り電磁弁３２の開弁により、給水管２３から給湯熱交換２２への給水が開始され、給水流量センサ２５で流水が検知される。
【００３２】
コントローラ１４は給水流量センサ２５による流水の検知に応じて、給湯バーナ２１の点火処理を行う。即ち、給湯ファン３５を作動させ、元電磁弁３６，給湯比例弁３７，給湯電磁弁３８，第１給湯切替電磁弁３９，第２給湯切替電磁弁４０を開弁して、給湯点火電極４１により火花放電を生じさせて給湯バーナ２１に点火する。
【００３３】
コントローラ１４は、給湯フレームロッド４２により給湯バーナ２１の点火を確認した後、給湯温度センサ３０で検出される浴槽４への給湯温度が、リモコン１８により設定された湯張り給湯温度となるように、給湯ファン３５の回転速度を制御して給湯バーナ２１への燃焼用空気の供給量を調節し、給湯比例弁３７，給湯電磁弁３８，第１給湯切替電磁弁３９，及び第２給湯切替電磁弁４０を制御して給湯バーナ２１への燃料ガスの供給量を調節し、給湯バイパス弁２８の開度を制御して給湯熱交換器２２への給水流量とバイパス管２７への給水流量との比率（バイパス比）を調節する。これにより、湯張り管３１を介して前記湯張り給湯温度の湯が浴槽４に供給される。
【００３４】
そして、コントローラ１４は、水位センサ３４により、浴槽４内の湯の水位がリモコン１８で設定された目標水位以上となったときに、湯張り電磁弁３２を閉弁して浴槽４への給湯を終了し、給湯バーナ２１の燃焼を停止して湯張りを終了する。
【００３５】
次に、温水暖房手段１７は、コントローラ１４からの制御信号により作動する暖房バーナ４０によって加熱される暖房熱交換器４１、コントローラ１４からの制御信号により暖房熱交換器４１で昇温された湯を暖房循環回路４２に循環させる暖房ポンプ４３、暖房熱交換器４１からの出湯温度を検出する暖房温度センサ４４、暖房循環回路４２内の水量を調節するためのシスターン４５、給水管２３からシスターン４５に給水を行う補給水管４６、及びコントローラ１４からの制御信号により開閉される補給水電磁弁４７を備える。
【００３６】
使用者がリモコン１８を操作して、室内暖房機７の作動指示を行うと、コントローラ１４は、シスターン４５に備えられた水位電極４８（低レベル側）と水位電極４９（高レベル側）とにより、暖房循環回路４２内の水量を確認し、暖房循環回路４２内の水量が不足していたときは、補給水電磁弁４７を開弁して、給水管間２３から補給水管４６を介して暖房循環回路４２内に水を補給する。
【００３７】
そして、コントローラ１４は、暖房循環回路４２内に所定量の水が満たされた状態で、暖房バーナ４０の点火処理を行う。即ち、暖房ファン５０を作動させ、暖房比例弁５１，暖房電磁弁５２，暖房切替電磁弁５３を開弁して、暖房点火電極５４により火花放電を生じさせて暖房バーナ４０に点火する。
【００３８】
コントローラ１４は、暖房フレームロッド５５により暖房バーナ４０の点火を確認した後、暖房温度センサ４４で検出される暖房循環回路４２への給湯温度が所定の暖房給湯温度となるように、暖房ファン５０の回転速度を制御して暖房バーナ４０への燃焼用空気の供給量を調節し、暖房比例弁５１，暖房電磁弁５２，及び暖房切替電磁弁５３を制御して暖房バーナ４０への燃料ガスの供給量を調節する。
【００３９】
そしてコントローラ１４は、暖房ポンプ４３を作動させる。これにより第１床暖房機接続管８，９を構成の一部とする暖房循環回路４２を介して、前記暖房給湯温度の湯が連続的に温風暖房機７に送出される。尚、暖房往路開閉弁５６と暖房復路開閉弁５７とは、後述する水密検査に使用される手動開閉弁であり、通常運転時（水密検査時以外）は開弁されている。
【００４０】
また、コントローラ１４は、使用者がリモコン１８を操作して第１床暖房機１０作動指示を行うと第１床暖熱動弁５８を開弁し、床暖房機１３の作動指示を行うと第２床暖熱動弁５９を開弁する。
【００４１】
第１床暖熱動弁５８、及び第２床暖熱動弁５９を開弁することで、暖房循環回路４２から分岐した床暖房分岐管６０が、第１床暖房機接続管８及び第２床暖房機接続管１１とそれぞれ連通されて暖房循環回路４２と連通する。これにより、室内暖房機７から戻る湯が第１床暖房機１０及び第２床暖房機１１に供給される。
【００４２】
次に、追焚き手段１６は、暖房熱交換器４１から暖房循環回路４２を介して供給される湯によって液−液熱交換動作を行う追焚き熱交換器７０、暖房熱交換器４１から追焚き熱交換器７０への給湯の開始と停止を切り替える風呂熱動弁７１、風呂接続管２，３を構成の一部とする風呂循環回路７２、浴槽４内の湯を風呂循環回路７２を介して循環させる風呂ポンプ７３、風呂循環回路７２内の湯の温度を検出する風呂温度センサ７４、及び風呂循環回路７２内の流水の有無を検出する風呂水流スイッチ７５とを備える。
【００４３】
使用者がリモコン１８を操作して、浴槽４内の湯を昇温させる追焚きの作動指示を行うと、コントローラ１４は風呂熱動弁７１を開弁する。そして、コントローラ１４は、上述した場合と同様に暖房バーナ４０に点火し、暖房バーナ４０の燃焼量を、暖房温度センサ４４で検出される暖房熱交換器４１からの出湯温度が所定の追焚き給湯温度となるように調節して、暖房ポンプ４３を作動する。これにより、追焚き熱交換器７０に、前記追焚き給湯温度の湯が連続的に送出される。
【００４４】
コントローラ１４はこの状態で、風呂ポンプ７３を作動させて浴槽４内の湯を風呂循環回路７２と追焚き熱交換器７０とを介して循環させることで、浴槽４内の湯を昇温させる。そして、コントローラ１４は、風呂温度センサ７４で検出される湯の温度がリモコン１８で設定された追焚き目標温度に到達したときに、暖房バーナ４０、風呂ポンプ７３、及び暖房ポンプ４３の作動を停止し、風呂熱動弁７１を閉弁して追焚きを終了する。
【００４５】
なお、風呂循環回路７２と暖房循環回路４２とを接続する連絡管８０と、連絡管８０を開閉する連絡管開閉弁８１とは、後述する水密検査を行うためのものであり、通常運転時（水密検査時以外）は連絡管開閉弁８が閉弁されて連絡管８０は遮断されている。
【００４６】
以上説明した本実施の形態の風呂用給湯装置を新たに設置する場合、給湯装置本体１と浴槽４とが風呂接続管２，３により確実に接続されていること、即ち水密性が保たれ、水漏れを生じていないことを確認する水密検査を実施する必要がある。同様に、給湯装置本体１と温風暖房機７との接続についての水密検査、給湯装置本体１と第１床暖房機１０との接続についての水密検査、及び給湯装置本体１と第２床暖房機１３との接続についての水密検査も実施する必要がある。尚、給湯装置本体１内の各配管の水密性については、出荷検査により保証されている。以下、図２〜図５に示したフローチャートを参照して本実施の形態における水密検査について説明する。
【００４７】
図２は、水密検査を行うための準備処理の手順を示しており、検査作業者は、先ずＳＴＥＰ１，ＳＴＥＰ２で手動式の開閉弁である暖房往路開閉弁５６と暖房復路開閉弁５７とを開弁し、ＳＴＥＰ３で手動式の開閉弁である連絡管開閉弁８１を開弁して、ＳＴＥＰ４で給湯装置本体１に設けられた図示しない試運転スイッチをＯＮ操作する。この試運転スイッチのＯＮ操作により、コントローラ１４は、給湯バーナ２１の作動を停止した状態で湯張り電磁弁３２を開弁し、浴槽４に水を供給する試運転動作を開始する。この試運転動作により、湯張り管３１と風呂循環回路７２を介して浴槽４への給水が開始される。
【００４８】
そして、検査作業者は、ＳＴＥＰ５で、風呂循環回路７２から連絡管８０へと給水されて連絡管８０内が水で満たされる（連絡管８０内の空気が水で置換される）と想定される１０秒間の経過を待って、ＳＴＥＰ６で、連絡管８０から暖房循環回路４２に給水が続行されてシスターン４５から水があふれることを防止するために連絡管開閉弁８１を閉弁する。
【００４９】
この状態で、検査作業者は、浴槽４への給水が進んで浴槽４内の水位が往路循環口８２及び復路循環口８３以上となり（ＳＴＥＰ７）、往路循環口８２及び復路循環口８３からエアーがでていない（ＳＴＥＰ８）状態となるのを待つ。即ち、風呂循環回路７２内に水が満たされるまで待つ。
【００５０】
そして、検査作業者はＳＴＥＰ９で、試運転スイッチのＯＦＦ操作により試運転動作を終了して浴槽４への給水を停止し、ＳＴＥＰ１０で往路循環口８２と復路循環口８３とを覆って浴槽８４から遮蔽する風呂アダプター８４を装着する。この風呂アダプター８４の装着により、風呂循環回路７２は閉回路となる。
【００５１】
次に検査作業者は、ＳＴＥＰ１１で給湯装置本体１に設けられた図示しない暖房水張りスイッチをＯＮ操作する。この暖房水張りスイッチのＯＮ操作により、コントローラ１４は、補給水電磁弁４７を開弁して給水管２３から補給水管４６を介して暖房循環回路４２に給水を開始すると共に、第１床暖熱動弁５８と第２床暖熱動弁５９を開弁する。
【００５２】
そして、コントローラ１４は、シスターン４５に設けられた低水位電極４８と高水位電極４９からの出力信号によって暖房循環回路４２内の給水量を検出し、給水量が所定量に達したときに補給水電磁弁４７，第１床暖熱動弁５８，及び第２床暖熱動弁５９を閉弁して暖房循環回路４２への給水を終了する。これにより暖房循環回路４２と、暖房循環回路４２と連通した温風暖房機接続管５，６，温風暖房機７，第１床暖房機接続管８，９，第１床暖房機１０，第２床暖房機接続管１１，１２，及び第２床暖房機１３内に水が満ちた状態となる。
【００５３】
そして、この状態で検査作業者はＳＴＥＰ１３で再び連絡管開閉弁８１を開弁して、連絡管８０を介して風呂循環回路７２と暖房循環回路４２とを連通させ、ＳＴＥＰ１４，ＳＴＥＰ１５で、暖房往路開閉弁５６と暖房復路開閉弁５７とを閉弁する。このＳＴＥＰ１４，ＳＴＥＰ１５の閉弁処理は、後述する水密検査において風呂循環回路７２側から圧力を加えたときに、圧力がシスターン４５から逃げないようにするための処理である。
【００５４】
以上説明した図２，３のＳＴＥＰ１〜ＳＴＥＰ１５の処理により水密検査を行うための準備が完了する。そして、この状態で、検査作業者はコントローラ１４に備えられた水密検査手段１９を作動させて水密検査を行う。
【００５５】
水密検査手段１９は、上述した準備処理が完了した状態で、先ず風呂循環回路７２に給水して風呂循環回路７２と、風呂循環回路７２と連絡管８０により接続された暖房循環回路４２の、暖房往路開閉弁５６，暖房復路開閉弁５７，第１床暖熱動弁５８，及び第２床暖熱動弁５９により閉鎖された部分（以下、暖房閉鎖循環回路という）との内部の水圧を所定の基準値まで上昇させて給水を停止する（以下、水圧上昇処理という）。
【００５６】
そして、次に、水密検査手段１９は、給水停止後の水位センサ３４による検出水圧の低下度合を検出し、検出した低下度合を所定の基準低下度合と比較することで、給湯装置本体１と、浴槽４，温風暖房機７，第１床暖房機１０及び第２床暖房機１３との接続管路の水密状態の良否を判定する（以下、低下度合判定処理という）。
【００５７】
図４，図５を参照して、ＳＴＥＰ４〜ＳＴＥＰ１７が前記水圧上昇処理を行う部分であり、ＳＴＥＰ４から分岐するＳＴＥＰ２０〜ＳＴＥＰ２６が前記低下度合判定処理を行う部分である。
【００５８】
図４を参照して、ＳＴＥＰ１で検査作業者が給湯装置本体１に備えられた図示しない水密検査スイッチをＯＮすると、水密検査手段１９は先ず前記水圧上昇処理を開始し、ＳＴＥＰ２で、給湯熱交換器２２から風呂循環回路７２への給水流量を制限するために水量サーボ２４を最小開度とする。このように風呂循環回路７２への給水流量を制限することで、微小量ずつ風呂循環回路７２に給水し、風呂循環回路７２内の水圧を徐々に上昇させることができる。
【００５９】
そして、水密検査手段１９は、ＳＴＥＰ３で水密検査開始時の水位センサ３４による検出水圧を初期水圧Ｐ０  として記憶手段２０に保持し、ＳＴＥＰ４で、水位センサ３４の検出水圧Ｐが基準値（１．５ｋｇｆ／ｃｍ２  ）以上であったときは、ＳＴＥＰ２０に分岐して水圧上昇処理から前記低下度合判定処理に移行する。
【００６０】
一方、ＳＴＥＰ４で、水位センサの検出水圧Ｐが基準値（１．５ｋｇｆ／ｃｍ２  ）未満であったときには、ＳＴＥＰ５に進んで湯張り電磁弁３２を０．０５秒間開弁して閉弁し、閉弁後１０秒経過時に、ＳＴＥＰ６で水位センサ３４の検出水圧Ｐが基準値（１．５ｋｇｆ／ｃｍ２  ）以上まで上昇したか否かを判断する。
【００６１】
ＳＴＥＰ６で、検出水圧Ｐが基準値（１．５ｋｇｆ／ｃｍ２  ）以上であったときは、ＳＴＥＰ２０に分岐して前記低下度合判定処理に移行し、基準値（１．５ｋｇｆ／ｃｍ２  ）未満であったときには、ＳＴＥＰ７に進む。そして、ＳＴＥＰ７でＳＴＥＰ５と同様に、湯張り電磁弁３２を０．０５秒間開弁して閉弁し、ＳＴＥＰ８で水位センサ３４の検出水圧Ｐが基準値（１．５ｋｇｆ／ｃｍ２  ）以上であったときはＳＴＥＰ２０に分岐する。
【００６２】
そして、水密検査手段１９は、ＳＴＥＰ９で記憶手段２０に保持した初期水圧Ｐ０  と現時点の検出水圧Ｐとの差から、検出水圧Ｐの上昇度合（上昇幅）を算出し、該上昇度合が０．５ｋｇｆ／ｃｍ２  （本発明の第１基準度合に相当）以上であったときは、ＳＴＥＰ４０を経由してＳＴＥＰ７〜ＳＴＥＰ９のループを繰り返し実行する。これにより湯張り電磁弁３２が開弁時間０．０５秒（本発明の供給実施期間に相当）、閉弁時間１０秒（本発明の供給停止期間に相当）で開閉され、風呂循環回路７２に、間欠的に給水が行われる。
【００６３】
ＳＴＥＰ７〜ＳＴＥＰ９の間欠的な給湯動作により、ＳＴＥＰ８で水位センサ３４による検出水圧Ｐが基準値（１．５ｋｇｆ／ｃｍ２  ）以上となったときは、ＳＴＥＰ２０に分岐して前記低下度合判定処理に移行する。また、ＳＴＥＰ７〜ＳＴＥＰ９のループを２６回実行しても、水位センサ３４の検出水圧Ｐが基準値（１．５ｋｇｆ／ｃｍ２  ）以上とならなかったときには、ＳＴＥＰ４０からＳＴＥＰ４１に分岐し、水密検査手段１９は給湯装置本体１に備えられた図示しない報知手段により、検査不可であることを検査作業者に報知する。
【００６４】
一方、ＳＴＥＰ９で、水位センサ３４の検出水圧の上昇度合が０．５ｋｇｆ／ｃｍ２  未満であったときには、図５のＳＴＥＰ１０に進んで湯張り電磁弁３２の開弁時間（本発明の供給実施時間に相当）を０．０５秒から１秒に延長する。そして、湯張り電磁弁３２の閉弁後１０秒経過したＳＴＥＰ１１で、水位センサ３４の検出水位が基準値（１．５ｋｇｆ／ｃｍ２  ）以上であったときは、ＳＴＥＰ２０に分岐して前記低下度合判定処理に移行する。
【００６５】
ＳＴＥＰ１１で、水位センサ３４の検出水圧Ｐが基準値（１．５ｋｇｆ／ｃｍ２  ）未満であったときには、ＳＴＥＰ１２〜ＳＴＥＰ１４のループが実行される。ＳＴＥＰ１２〜ＳＴＥＰ１４のループは、湯張り電磁弁３２の開弁時間を０．０５秒から１．０秒に延長して、上述したＳＴＥＰ７〜ＳＴＥＰ９のループと同様の間欠的な給水動作を行う。
【００６６】
水密検査手段１９は、このように湯張り電磁弁３２の開弁時間（本発明の供給実施期間に相当）を延長することで、一回の間欠的な給水における風呂循環回路７２への給水量を増加させ、風呂循環回路７２内の水圧上昇度合の増大を図っている。これにより、前記水圧上昇処理に要する時間を短縮することができる。
【００６７】
そして、水密検査手段１９は、ＳＴＥＰ１４で初期水圧Ｐ０  に対する検出水圧Ｐの上昇度合が、０．７ｋｇｆ／ｃｍ２  （本発明の第２基準度合に相当）未満であったときは、ＳＴＥＰ１５に進んで、湯張り電磁弁３２の開弁時間（本発明の供給実施期間に相当）を更に０．３秒に延長して、ＳＴＥＰ１５〜ＳＴＥＰ１７のループを実行し、風呂循環回路７２に間欠的に給水を行う。これにより、前記水圧上昇処理に要する時間を更に短縮することができる。
【００６８】
ＳＴＥＰ１５〜ＳＴＥＰ１７の処理を２６回実行しても、水位センサ３４の検出水圧が基準値（１．５ｋｇｆ／ｃｍ２  ）以上とならなかったときは、ＳＴＥＰ１７からＳＴＥＰ１８に進んで、水密検査手段１９は給湯装置本体１に備えられた図示しない報知手段により、検査不可であることを検査作業者に報知する。
【００６９】
水密検査手段１９は、ＳＴＥＰ１〜ＳＴＥＰ１７の処理により、水位センサ３４による検出水圧が基準値（１．５ｋｇｆ／ｃｍ２  ）以上となったときには、ＳＴＥＰ２０に分岐して、前記低下度合判定処理を開始する。
【００７０】
水密状態検査手段１９は、ＳＴＥＰ２０で水位センサ３４の検出水圧Ｐが２．７ｋｇｆ／ｃｍ２  ）以上であったときは、風呂循環回路７２の水圧が高すぎて正常な水密検査ができないために、ＳＴＥＰ３０に分岐して水密検査手段１９は給湯装置本体１に備えられた図示しない報知手段により、検査不可であることを検査作業者に報知する。
【００７１】
ＳＴＥＰ２０で水位センサ３４の検出水圧Ｐが２．７ｋｇｆ／ｃｍ２  未満であったときはＳＴＥＰ２１に進み、現時点（低下度合判定処理の開始時点）の水位センサ３４の検出水圧を開始水圧ＰＳ  として記憶手段２０に保持し、ＳＴＥＰ２２で５分タイマを起動する。
【００７２】
そして、水密状態検査手段１９は、ＳＴＥＰ２４で５分タイマがタイムアップする前に、ＳＴＥＰ２３で、水位センサ３４による検出水圧Ｐの前記開始水圧ＰＳ  からの低下度合（Ｐ−ＰＳ  ）が０．５ｋｇｆ／ｃｍ２  （本発明の所定値に相当）以上となったときは、風呂循環回路７２又は前記暖房閉鎖循環回路の水密性が不十分であると判断してＳＴＥＰ３１に分岐し、給湯装置本体１に備えられた図示しない報知手段により、水密性が不良であることを検査作業者に報知する。
【００７３】
尚、このとき、風呂循環回路７２の水密性が不十分であるのか、暖房閉鎖循環回路の水密性が不十分であるのかが特定できない場合には、風呂循環回路７２と暖房閉鎖循環回路とをつなぐ連絡管８０に設けられた連絡管開閉弁８１を閉弁し、風呂循環回路７２のみの水密検査を再度行うようにすればよい。
【００７４】
そして、この水密検査の結果、水密性が十分であれば暖房閉鎖循環回路の不良と判断できる。一方、水密性が不十分であったときは風呂循環回路７２の水密性のみが不十分であるのか、風呂循環回路７２の水密性と暖房閉鎖循環回路の水密性が共に不十分であるのかの判断ができない。
【００７５】
そこで、この場合には、少なくとも風呂循環回路７２の水密性が不十分であるので、先ず風呂循環回路７２を修理して再度風呂循環回路７２のみについて水密検査を行えば、暖房閉鎖循環回路の気密性が十分であるか否かを判断することができる。
【００７６】
一方、ＳＴＥＰ２４で５分タイマがタイムアップしたときには、水密性は良好であると判断できるが、水密検査の慎重を期すために、水密検査手段１９はＳＴＥＰ２５からＳＴＥＰ３に分岐して再度水密検査を実行する。そして、２回目の水密検査においてＳＴＥＰ２４で５分タイマがタイムアップしたときには、ＳＴＥＰ２５からＳＴＥＰ２６に進み、風呂循環回路７２及び前記暖房閉鎖循環回路の水密性は十分であると判断して、給湯装置本体１に備えられた図示しない報知手段により、水密性が良好であることを検査作業者に報知する。
【００７７】
検査作業者は、前記水密性が良好であることの報知を確認したときは、給湯装置本体１と、浴槽４、温風暖房機７、第１床暖房機、及び第２床暖房機との接続が水密性を保って正常になされていると判断して水密検査を終了する。
【００７８】
尚、本実施の形態では、図４，図５に示したフローチャートにおいて、湯張り電磁弁３２の閉弁後、１０秒経過した時点で水位センサ３４により浴槽循環回路７２内の水圧を検出して前記基準値（１．５ｋｇｆ／ｃｍ２  ）と比較したが、これを湯張り電磁弁３２の閉弁後、例えば５秒経過した時点から複数回水圧を検出し、検出した水圧の平均値を前記基準値（１．５ｋｇｆ／ｃｍ２  ）と比較するようにしてもよい。
【００７９】
また、本実施の形態では、水密検査開始時の水位センサ３４による検出水圧を初期水圧Ｐ０  としたが（図４のＳＴＥＰ３）、風呂循環管路７２や暖房循環回路４２の設置状態や外気温等の影響により、初期水圧Ｐ０  が安定しない場合がある。この場合には、図４のＳＴＥＰ５で示した間欠的な給湯を１回、或いは数回行う予備過圧処理を行った後に、水位センサ３４で検出される水圧を初期水圧Ｐ０  とすることで、初期水圧Ｐ０  を安定させるようにしてもよい。
【００８０】
また、本実施の形態では室内暖房機として温風暖房機及び床暖房機が接続された風呂用給湯装置を示したが、他の室内暖房機、例えばパネルヒータ等を接続した風呂用給湯装置であってもよい。
【００８１】
また、本実施の形態では、ガスバーナにより加熱される熱交換器を使用して給湯を行う風呂用給湯装置を示したが、電気ヒータや灯油バーナ等他の種類の加熱手段を使用して給湯を行う風呂用給湯装置であってもよい。
【図面の簡単な説明】
【図１】本発明の風呂用給湯装置の全体構成図。
【図２】図１に示した風呂用給湯装置における水密検査の処理フローチャート。
【図３】図１に示した風呂用給湯装置における水密検査の処理フローチャート。
【図４】図１に示した風呂用給湯装置における水密検査の処理フローチャート。
【図５】図１に示した風呂用給湯装置における水密検査の処理フローチャート。
【符号の説明】
１…給湯装置本体、２，３…風呂接続管、４…浴槽、５，６…温風暖房機接続管、７…温風暖房機、８，９…第１床暖房機接続管、１０…第１床暖房機、１１，１２…第２床暖房機接続管、１３…第２床暖房機、１４…コントローラ、１５…給湯手段、１６…風呂追焚き手段、１７…温水暖房手段、１８…リモコン、１９…水密検査手段、２０…記憶手段、２１…給湯バーナ、２２…給湯熱交換器、２３…給水管、２４…水量サーボ、２５…給水流量センサ、２６…出湯管、２７…バイパス管、２８…バイパスサーボ、２９…給湯管、３０…給湯温度センサ、３１…湯張り管、３２…湯張り電磁弁、３３…湯張り流量センサ、３４…水位センサ、３５…給湯ファン、３６…元電磁弁、３７…給湯比例弁、３８…給湯電磁弁、３９…第１給湯切替電磁弁、４０…第２給湯切替電磁弁、４１…給湯点火電極、４２…暖房循環回路、４３…暖房ポンプ、４４…暖房温度センサ、４５…シスターン、４６…補給水管、４７…補給水電磁弁、４８，４９…水位電極、５０…暖房ファン、５１…暖房比例弁、５２…暖房電磁弁、５３…暖房切替電磁弁、５４…暖房点火電極、５５…暖房フレームロッド、５６…暖房往路開閉弁、５７…暖房復路開閉弁、５８…第１床暖熱動弁、５９…第２床暖熱動弁、６０…床暖房分岐管、７０…追焚き熱交換器、７１…風呂熱動弁、７２…風呂循環回路、７３…風呂循環ポンプ、７４…風呂温度センサ、７５…風呂水流スイッチ、８０…連絡管、８１…連絡管開閉弁
【図１】
0003628866.tif 000002
【図２】
0003628866.tif 000003
【図３】
0003628866.tif 000004
【図４】
0003628866.tif 000005
【図５】
0003628866.tif 000006